(57)【要約】【解決手段】ドアハンドル（１）を記載する。ドアハンドル（１）は、ユーザーの手に液体又はジェル（液体／ジェル）を塗布するように構成される。ハンドル（１）は、ハンドルグリップ（２）と、ハンドル（１）と共に用いられる液体／ジェルタンク（６）と、を備える。液体／ジェル排出装置がグリップ（２）内に配置されると共に、タンク（６）から排出装置に液体／ジェルが流れるように逆子弁（５３）が備えられる。中空のトリガー（８）がグリップ（２）上に移動可能に取り付けられ、ハンドル（１）を握ると、排出装置が起動されて、排出装置からトリガー（８）内に、さらに、トリガー（８）を握る手又は指上に液体／ジェルを排出するように、構成される。【選択図】図１
2013527890.tif 000002
【特許請求の範囲】
【請求項１】
ユーザーの手に液体又はジェル（液体／ジェル）を塗布するように構成されるドアハンドルであって、
ハンドルグリップと、
前記ハンドルと共に用いられる液体／ジェルタンクと、
前記グリップ内に配置される液体／ジェル排出装置と、
前記グリップ上に移動可能に取り付けられる中空のトリガーであって、前記ハンドルを握ると前記排出装置が起動されて、前記排出装置から前記トリガー内に、さらに、前記トリガーを握る手又は指上に液体／ジェルを排出するように構成される中空のトリガーと、を備えるドアハンドル。
【請求項２】
請求項１に記載のドアハンドルであって、
前記タンクは、前記液体／ジェルが前記タンクから吸い上げられるように、使用時に前記排出装置の下方に配置される、ドアハンドル。
【請求項３】
請求項１に記載のドアハンドルであって、
前記タンクの使用位置は前記グリップの上方であって、重力の助けにより、又は、重力の作用により、前記液体／ジェルを下に流す、ドアハンドル。
【請求項４】
請求項１から３までのいずれか一項に記載のドアハンドルであって、
前記排出装置は、ピストン−シリンダー装置である、ドアハンドル。
【請求項５】
請求項１から３までのいずれか一項に記載のドアハンドルであって、
前記排出装置は、ダイヤフラム−チャンバ装置である、ドアハンドル。
【請求項６】
請求項４又は５に記載のドアハンドルであって、
前記排出装置は、前記シリンダー又はチャンバ及び前記トリガー用の伸縮ばねを備える、ドアハンドル。
【請求項７】
請求項１から６までのいずれか一項に記載のドアハンドルであって、
前記排出装置は、エラストマー材料からなる弾性デバイスであって、液体又はジェルの排出後に元の形状に戻って、前記排出装置に液体又はジェルを再び補給するように構成される、ドアハンドル。
【請求項８】
請求項１から７までのいずれか一項に記載のドアハンドルであって、
前記トリガーは複数の液体／ジェル排出口を備え、前記複数の液体／ジェル排出口は、通常は閉じており、各排出口に対する指の圧力によって個々に開いて、前記トリガーに対して前記指が作用する際に前記液体又はジェルを選択的に排出させるように構成される、ドアハンドル。
【請求項９】
請求項８に記載のドアハンドルであって、
各排出口に、これを閉鎖するボールやプラグ等の各閉鎖部材を備え、各閉鎖部材が、各バネによって各排出口に押し入れられる、ドアハンドル。
【請求項１０】
請求項９に記載のドアハンドルであって、
前記バネは、コイルばね又は一枚のストリップを曲げてタブの形に形成したリーフスプリングである、ドアハンドル。
【請求項１１】
請求項８に記載のドアハンドルであって、
各排出口に、これを閉鎖する閉鎖部材を備え、前記閉鎖部材は、必要に応じて弾性指部を持つように一体成形されて、前記弾性指部が前記排出口に前記閉鎖部材を押し入れる、ドアハンドル。
【請求項１２】
請求項１から１１までのいずれか一項に記載のドアハンドルであって、
さらに、前記タンクから前記排出装置に液体／ジェルを流すことができるように構成される逆止弁を備える、ドアハンドル。
【請求項１３】
請求項１から１２までのいずれか一項に記載のドアハンドルであって、
さらに、化学的な抗菌作用をもたらす前記第１のグリップの前記液体／ジェルを補完して、物理的な抗菌作用をもたらすように構成される第２のグリップを備える、ドアハンドル。
【請求項１４】
請求項１から１３までのいずれか一項に記載のドアハンドルであって、
さらに、前記ハンドルが取り付けられたドアが開けられて隣接する壁に接触した場合に前記タンクを衝撃から守るように構成されるガード部材を備える、ドアハンドル。
【請求項１５】
請求項１から１４までのいずれか一項に記載のドアハンドルであって、
さらに、前記ハンドルに着脱可能に取り付けられる第２の上部液体／ジェルタンクであって、前記ハンドルに取り付けられると、前記上部液体／ジェルタンクの孔が下方の前記液体／ジェルタンクの孔に係合されて、下方の前記液体／ジェルタンクと流体連結される第２の上部液体／ジェルタンクを備える、ドアハンドル。
【請求項１６】
請求項１から１５までのいずれか一項に記載のドアハンドルが取り付けられるドア。
【請求項１７】
ドアハンドルであって、
ユーザーの手に液体又はジェル（液体／ジェル）を塗布することにより化学的な抗菌作用をもたらすように構成される第１のグリップと、
物理的な抗菌作用をもたらすように構成される第２のグリップと、を備えるドアハンドル。
【請求項１８】
請求項１７に記載のドアハンドルであって、
前記第２のグリップが、抗菌作用のある物質から形成される表面を有する、ドアハンドル。
【請求項１９】
請求項１７に記載のドアハンドルであって、
前記第２のグリップが紫外（ＵＶ）線源を備え、前記紫外線源は、前記第２のグリップの内側から前記グリップの紫外線透過外表面に紫外線を放射して、抗菌作用をもたらすように構成される、ドアハンドル。
【請求項２０】
請求項１７から１９までのいずれか一項に記載のドアハンドルであって、
前記第１のグリップが鉛直方向に伸長すると共に前記第２のグリップも鉛直方向に伸長し、前記第２のグリップが前記第１グリップと一直線上で下方に配置される、ドアハンドル。
【請求項２１】
請求項１７から２０までのいずれか一項に記載のドアハンドルが取り付けられるドアであって、
前記第１のグリップを大人がドアを操作するのに最適な高さに配置することにより、前記第２のグリップはそれより下方に配置されるので、人間工学に基づいてユーザーが前記第１のグリップを用いて前記ドアを開ける可能性が高くなる、ドア。
【請求項２２】
ドアハンドルであって、
ユーザーの手に液体又はジェル（液体／ジェル）を塗布するように構成されるグリップと、
前記グリップに流体連結される液体／ジェルタンクと、
前記ハンドルが取り付けられたドアが開けられて隣接する壁に接触した場合に前記タンクを衝撃から守るように構成されるガード部材と、を備えるドアハンドル。
【請求項２３】
請求項２２に記載のドアハンドルが取り付けられるドア。
【請求項２４】
ドアハンドルであって、
ユーザーの手に液体又はジェル（液体／ジェル）を塗布するように構成されるグリップと、
前記グリップに流体連結される第１の下部液体／ジェルタンクと、
前記ハンドルに着脱可能に取り付けられる第２の上部液体／ジェルタンクでって、前記ハンドルに取り付けられると、前記上部液体／ジェルタンクの孔が前記下部前記液体／ジェルタンクの孔に係合されて、前記下部液体／ジェルタンクに流体連結される第２の上部液体／ジェルタンクと、を備える、ドアハンドル。
【請求項２５】
請求項２４に記載のドアハンドルであって、
前記下部液体／ジェルタンクが、閉位置と開位置との間で切り替え可能に構成されるフラップを備え、操作が行なわれず、前記上部液体／ジェルタンクが取り付けられていない場合には、前記フラップは閉位置にあって、前記下部液体／ジェルタンクの前記孔を閉鎖する一方、前記上部液体／ジェルタンクが前記ハンドルに取り付けられると、前記フラップが開位置に動かされて、前記上部液体／ジェルタンクから前記下部液体／ジェルタンクに液体／ジェルを移動させることが可能になる、ドアハンドル。
【請求項２６】
請求項２５に記載のドアハンドルであって、
前記下部液体／ジェルタンクが、その上部表面部に形成されて、前記フラップに接続される排出口を備え、前記フラップが閉位置にある場合に前記排出口が閉じられる一方で、前記フラップが開位置にある場合に前記排出口が開いて、前記上部液体／ジェルタンクから前記下部液体／ジェルタンクへの液体／ジェルの補給を容易にする、ドアハンドル。
【請求項２７】
請求項２４から２６までのいずれか一項に記載のドアハンドルであって、
前記下部液体／ジェルタンクが一体型の視覚的な液面計を備える、ドアハンドル。
【請求項２８】
請求項２４から２７までのいずれか一項に記載のドアハンドルであって、
さらに、前記上部液体／ジェルタンクと前記下部液体／ジェルタンクの少なくとも一方を照らすように構成される光源と、
前記上部液体／ジェルタンクを取り付けると起動して、前記光源をオンにするように構成されるスイッチと、を備える、ドアハンドル。
【請求項２９】
請求項２４から２８までのいずれか一項に記載のドアハンドルが取り付けられるドア。
【請求項３０】
ユーザーの手に液体又はジェル（液体／ジェル）を塗布するように構成されるドアハンドルであって、
液体／ジェルタンクと、
前記液体／ジェルタンクに流体連結されるグリップと、
前記グリップ内に配置される液体／ジェル排出装置と、
液体／ジェル排出口を有するトリガーであって、前記ハンドルを握ると前記排出装置が起動されて、前記液体／ジェル排出口から前記トリガーの表面上に液体／ジェルを排出するように構成されるトリガーと、を備えるドアハンドル。
【請求項３１】
請求項３０に記載のドアハンドルが取り付けられるドア。
【請求項３２】
添付図面の図１〜１６、図１７〜２７、図２８〜３１又は図３２〜３３のいずれかを参照して記載されるドアハンドル。
【発明の詳細な説明】
【技術分野】
【０００１】
本発明は、ユーザーの手に液体またはジェルを塗布するように構成されるドアハンドルに関する。
【背景技術】
【０００２】
ユーザーの手にジェル状消毒剤を塗布することにより、特に学校や病院等の公共の建物において、清潔さを保ち、感染の拡大を防ぐと考えられる。通常、自立型又は壁掛け型の消毒剤スプレー又はポンプを出入り口に取り付けて、建物に入る前又は建物内の部屋に入る前にユーザーが消毒剤を塗布することができるようになっている。ただし、そのように指示しても、すべてのユーザーが消毒剤を塗布するわけではない。したがって、別のアプローチが必要となる。
【０００３】
周知のアプローチとして、液状又はジェル状の消毒剤をユーザーの手に塗布するドアハンドルを用いるものがある。ユーザーの手に液体またはジェルを塗布するドアハンドルに関しては、２種類の設計が知られている。
【０００４】
第１の設計は、ピストンの形態等のポンプ構造をドアハンドルに取り付けるものである（特許文献１、２、３参照）。ポンプは、液状又はジェル状消毒剤が収容されるタンクに流体連結される。ポンプは、さらに、ドアハンドル及びドアに連結され、ユーザーがドアハンドルを回してドアを開ける回転動作によって、ポンプが起動する。ポンプが起動すると、ドアハンドルの表面に消毒剤が塗布される。同様のポンプ装置をプル型ハンドルに適用したものもある（特許文献１参照）。マウンティングポイントを用いてプル型ハンドルをドアに取り付けるが、ドアハンドルを引っ張ってドアを開ける際にマウンティングポイントに対してハンドルが移動可能なように取り付ける。ポンプ構造を、ドアハンドルの内側に取り付けて、マウンティングポイントとドアハンドルの間に接続する。ドアが開くと、ドアハンドルがマウンティングポイントに対して動き、その結果、ポンプに連結されたタンクからドアハンドルの表面に消毒剤が送出される。
【０００５】
第２の設計は、ジェル状又は液状消毒剤が付着するグリップをドアハンドルに備えるものである。ジェル状又は液状消毒剤をタンクから供給するようにしてもよい。ユーザーがドアハンドルを握ると、ユーザーの手に液状又はジェル状消毒剤が塗布される。グリップが、多孔質のカバーを備えるものでもよいし（特許文献４、５、６参照）、ハンドルが、中空のグリップの内側に吸収材を備え、中宮グリップの穴を介して吸収材が露出するようにしたものでもよい（特許文献５、７参照）。グリップが、フラップの形態で、流体排出口を有するプラスチック製のシュラウド（囲い板）を備えるものでもよい。この場合、ドアハンドルを握ると、カバーが変形してフラップが開く（特許文献８参照）。
【先行技術文献】
【特許文献】
【０００６】
【特許文献１】WO2008/153711A1
【特許文献２】DE10014472A1
【特許文献３】EP1164235A3
【特許文献４】GB2421897A
【特許文献５】FR2824096A1
【特許文献６】US2006/0245818A1
【特許文献７】GB2436284A
【特許文献８】DE202004006845
【発明の概要】
【発明が解決しようとする課題】
【０００７】
本発明は、液状又はジェル状消毒剤を塗布するドアハンドルを提供することを目的とする。
【課題を解決するための手段】
【０００８】
本発明の一つの態様は、ユーザーの手に液体又はジェル（液体／ジェル）を塗布するように構成されるドアハンドルであって、
ハンドルグリップと、
前記ハンドルと共に用いられる液体／ジェルタンクと、
前記グリップ内に配置される液体／ジェル排出装置と、
前記タンクから前記排出装置に液体／ジェルを流すことができるように必要に応じて設けられる逆止弁と、
前記グリップ上に移動可能に取り付けられる中空のトリガーであって、前記ハンドルを握ると前記排出装置が起動されて、前記排出装置から前記トリガー内に、さらに、前記トリガーを握る手又は指上に液体／ジェルを排出するように構成される中空のトリガーと、を備える。
【０００９】
前記タンクは、前記液体／ジェルが前記タンクから吸い上げられるように、使用時に前記排出装置の下方に配置されるものでもよい。また、前記タンクの使用位置は通常、前記グリップの上方であって、重力の助けにより、又は、重力の作用により、前記液体／ジェルを下に流すようにしてもよい。
【００１０】
排出装置は、ピストン−シリンダー装置でもよく、あるいは、ダイヤフラム−チャンバ装置でもよく、これらの装置は、前記シリンダー又はチャンバ及び前記トリガー用の伸縮ばねを必要とするものでもよい。望ましくは、前記排出装置は、エラストマー材料からなる弾性デバイスであって、液体又はジェルの排出後に元の形状に戻って、前記排出装置に液体又はジェルを再び補給するように構成される。
【００１１】
特定の実施形態において、前記トリガーは複数の液体／ジェル排出口を備え、前記複数の液体／ジェル排出口は、通常は閉じており、各排出口に対する指の圧力によって個々に開いて、前記トリガーに対して前記指が作用する際に前記液体又はジェルを選択的に排出させるように構成される。
【００１２】
この実施形態において、各排出口に、これを閉鎖するボールを備え、各ボールが、各バネによって各排出口に押し入れられる。前記バネは、コイルばね又は一枚のストリップを曲げてタブの形に形成したリーフスプリングでもよい。ボールの代わりに閉鎖部材を備え、前記閉鎖部材は弾性指部を持つように一体成形されて、前記弾性指部が前記排出口に前記閉鎖部材を押し入れるものでもよい。
【００１３】
ドアハンドルは、さらに、化学的な抗菌作用をもたらす前記第１のグリップの前記液体／ジェルを補完して、物理的な抗菌作用をもたらすように構成される第２のグリップを備えるものでもよい。
【００１４】
ドアハンドルは、さらに、前記ハンドルが取り付けられたドアが開けられて隣接する壁に接触した場合に前記タンクを衝撃から守るように構成されるガード部材を備えるものでもよい。
【００１５】
ドアハンドルは、さらに、前記ハンドルに着脱可能に取り付けられる第２の上部液体／ジェルタンクであって、前記ハンドルに取り付けられると、前記上部液体／ジェルタンクの孔が下方の前記液体／ジェルタンクの孔に係合されて、下方の前記液体／ジェルタンクと流体連結される第２の上部液体／ジェルタンクを備えるものでもよい。
【００１６】
本発明の一つの態様は、ドアハンドルであって、ユーザーの手に液体又はジェル（液体／ジェル）を塗布することにより化学的な抗菌作用をもたらすように構成される第１のグリップと、物理的な抗菌作用をもたらすように構成される第２のグリップと、を備える。
【００１７】
前記第２のグリップは、抗菌作用のある物質から形成される表面を有するものでもよい。あるいは、前記第２のグリップが紫外（ＵＶ）線源を備え、前記紫外線源は、前記第２のグリップの内側から前記グリップの紫外線透過外表面に紫外線を放射して、抗菌作用をもたらすように構成されるものでもよい。
【００１８】
前記第１のグリップが鉛直方向に伸長すると共に前記第２のグリップも鉛直方向に伸長し、前記第２のグリップが前記第１グリップと一直線上で下方に配置されるものでもよい。
【００１９】
本発明の一つの態様は、ドアハンドルであって、ユーザーの手に液体又はジェル（液体／ジェル）を塗布するように構成されるグリップと、前記グリップに流体連結される液体／ジェルタンクと、前記ハンドルが取り付けられたドアが開けられて隣接する壁に接触した場合に前記タンクを衝撃から守るように構成されるガード部材と、を備える。
【００２０】
本発明の一つの態様は、ドアハンドルであって、ユーザーの手に液体又はジェル（液体／ジェル）を塗布するように構成されるグリップと、前記グリップに流体連結される第１の下部液体／ジェルタンクと、前記ハンドルに着脱可能に取り付けられる第２の上部液体／ジェルタンクでって、前記ハンドルに取り付けられると、前記上部液体／ジェルタンクの孔が前記下部前記液体／ジェルタンクの孔に係合されて、前記下部液体／ジェルタンクに流体連結される第２の上部液体／ジェルタンクと、を備える。
【００２１】
前記下部液体／ジェルタンクが、閉位置と開位置との間で切り替え可能に構成されるフラップを備え、操作が行なわれず、前記上部液体／ジェルタンクが取り付けられていない場合には、前記フラップは閉位置にあって、前記下部液体／ジェルタンクの前記孔を閉鎖する一方、前記上部液体／ジェルタンクが前記ハンドルに取り付けられると、前記フラップが開位置に動かされて、前記上部液体／ジェルタンクから前記下部液体／ジェルタンクに液体／ジェルを移動させることが可能になるものでもよい。
【００２２】
前記下部液体／ジェルタンクが、その上部表面部に形成されて、前記フラップに接続される排出口を備え、前記フラップが閉位置にある場合に前記排出口が閉じられる一方で、前記フラップが開位置にある場合に前記排出口が開いて、前記上部液体／ジェルタンクから前記下部液体／ジェルタンクへの液体／ジェルの補給を容易にするものでもよい。
【００２３】
前記下部液体／ジェルタンクが一体型の視覚的な液面計を備えるものでもよい。あるいは、前記下部液体／ジェルタンクが、前記上部液体／ジェルタンクと前記下部液体／ジェルタンクの少なくとも一方を照らすように構成される光源と、前記上部液体／ジェルタンクを取り付けると起動して、前記光源をオンにするように構成されるスイッチと、を備えるものでもよい。
【００２４】
本発明の一つの態様は、ユーザーの手に液体又はジェル（液体／ジェル）を塗布するように構成されるドアハンドルであって、液体／ジェルタンクと、前記液体／ジェルタンクに流体連結されるグリップと、前記グリップ内に配置される液体／ジェル排出装置と、液体／ジェル排出口を有するトリガーであって、前記ハンドルを握ると前記排出装置が起動されて、前記液体／ジェル排出口から前記トリガーの表面上に液体／ジェルを排出するように構成されるトリガーと、を備える。
【００２５】
本発明の一つの態様は、上述したドアハンドルのいずれか一つのドアハンドルが取り付けられるドアである。ドアハンドルが第１のグリップと第２のグリップとを備える場合には、前記第１のグリップを大人がドアを操作するのに最適な高さに配置するようにしてもよい。この場合、前記第２のグリップはそれより下方に配置されるので、人間工学に基づいてユーザーが前記第１のグリップを用いて前記ドアを開ける可能性が高くなる。
【００２６】
以下の図面を参照して、実施形態にしたがって、本発明を記載する。
【図面の簡単な説明】
【００２７】
【図１】本発明の第１の実施形態におけるドアハンドルを示す斜視図。
【図２】図１に示すドアハンドルを中央鉛直面で切断して示す断面斜視図。
【図３】ドアハンドルのドアプレートを示す斜視図。
【図４】図２を拡大して示す断面斜視図。
【図５】ハンドルのグリップを支持するメタルプレス板が見えるように、いくつかの部品を取り外した状態の図４に対応する断面斜視図。
【図６】グリップのみを示す断面斜視図。
【図７】グリップの水平断面図。
【図８】図６に対応する非断面図。
【図９】図５に対応する非断面図。
【図１０】ドアに平行な面をドア側から見た断面図。
【図１１】図２の平面をドア側から見た断面斜視図。
【図１２】タンクの排出容器アダプターを示す斜視図。
【図１３】トリガーの位置決めをする上部取り付け部を示す斜視図。
【図１４】ハンドルのタンクを示す側面図。
【図１５】タンクの平面図。
【図１６】タンクの上部を示す断面斜視図。
【図１７】本発明の第２の実施形態におけるドアハンドルを概略的に示す図。
【図１８】図１７に示すドアハンドルの断面を概略的に示す断面図。
【図１９】第１のグリップを概略的に示す正面斜視図（左側）と正面図（右側）。
【図２０】第１のグリップを概略的に示す背面斜視図。
【図２１】第１のグリップを概略的に示す断面図。
【図２２】図２１に示す第１のグリップの構成部材を概略的に示す分解図。
【図２３】蓋部を取り外した状態のドアハンドルを示す図。
【図２４】蓋部を取り外し、さらに、リフィルボトルも取り外した状態のドアハンドルを概略的に示す図。
【図２５】図１７に示すドアハンドルを概略的に示す分解図。
【図２６】本発明の第２の実施形態におけるドアハンドルをドアに取り付けた状態を示す図。
【図２７】本発明の第２の実施形態におけるドアハンドルを対にして両開きのドアに取り付けた状態を示す図。
【図２８】本発明の第３の実施形態におけるドアハンドルを概略的に示す図。
【図２９】図２８に示すドアハンドルの断面を概略的に示す断面図。
【図３０】本発明の第３の実施形態におけるドアハンドルをドアに取り付けた状態を示す図。
【図３１】本発明の第３の実施形態におけるドアハンドルを対にして両開きのドアに取り付けた状態を示す図。
【図３２】本発明の第４の実施形態における図１８と同様のドアハンドル１００の断面を概略的に示す断面図。
【図３３】本発明の第４の実施形態におけるリフィルボトルを示す図。
【発明を実施するための形態】
【００２８】
図１〜図１６に、本発明の第１の実施形態におけるドアハンドルを例示する。
【００２９】
図１に示すように、ドアハンドル１は、使用時に（図示しない）ドアに固定されるドアプレート５に２つのブラケット（取り付け金具）３及び４を介して連結されるグリップ２を備える。ジェル状消毒剤タンク６がグリップ上に配置される。ドアプレート５は、別のブラケット７まで伸長する。グリップのドア側に設けられたトリガー８は、グリップの方向に引くことが可能であり、グリップを引き寄せた手の指上にタンクからジェル状消毒剤が供給される。
【００３０】
図１〜図１６を参照して、以下、順に説明する。
・グリップの構造配置
・ジェル排出構造
・補助部材の詳細
【００３１】
図面において、各図（図１〜図１６）は、所定の特徴構造が図示できるように視点を選択したＣＡＤ図面である。このため、１つの図面にぱっと見てある特徴構造が見つからなかった場合には、別の図面を参照されたい。
【００３２】
グリップ２の基部は、側壁１４に２つの穴部１２を有する突出部１１である。突出部１１は、シートメタルプレス板１５を介してドアに固定され、シートメタルプレス板１５は、使用時にドアに接する中央ウェブ１６と、プラスチック成形部１９及び２０の内側に位置する上部及び下部フランジ１７及び１８と、を備える。これらのフランジは、ブラケット３及び４として構成されているかのような印象を与えるが、実際にはカバーとして構成されている。これらのフランジを貫通するネジ２１が穴部１２に係合されて、プレス板に突出部１１が固定される。
【００３３】
ドアプレート５は、ハンドルの高さ方向に伸長する一体成形部であって、プレス板のウェブに形成された孔と同一直線上に配置される孔２２であって、ドアにハンドルを固定するための（図示しない）ネジ用の孔２２を有する。このネジは、ドアプレートを介して作用することによりプレス板１５を固定する。
【００３４】
突出部１１は前壁３１を備え、前壁３１は装飾用ストリップ（細長片）３２で被覆されている。前壁の内側において、管状弾性容器３５用の静圧板３４が、グラブねじ３３により調節可能に位置決めされる。容器の反対側には、トリガー８を支持する移動圧力板３６が配置される。トリガーは、突出部１１の縁部３８の外側を囲む縁部３７を備える。この構成により、トリガーが横方向に位置決めされると共に、トリガーを突出部の方向に動かすことが可能となる。突出部の内側において、トリガーは、その長手方向ストリップ３９により、移動圧力板に形成される段部４０に対して支持される。これら２つの部品は、互いにぴったりと付着及び密閉されて、ストリップ／段部を形成する。ストリップ３９は、移動圧力板に形成される相補的な構造に嵌合及び密閉されて、ストリップの頂部と底部とにおいてフィレット（隅肉）４１により相互連結される。トリガーをその端部で位置決めする構成に関しては、後述する。
【００３５】
トリガー及び移動圧力板は、内側に、長さ方向に沿って、空隙４２を形成する。トリガー板は、ドアプレート５に対向する面４３に配列された孔４４を備え、各孔４４はボール（球）４５により通常塞がれている。ボールは、圧力板に設けられたブラインドソケット４８の底部に支持されるバネ４７によって、孔の内側の弁座４６に保持される。
【００３６】
圧力板の底部に向けて、空隙４２に連通する中空ボス５１が設けられる。中空ボス５１は、管状容器３５の下端部に係合される屈曲部５２を備える。詳細を後述する逆止弁５３が容器の上端部に備えられることを念頭に置くと、以下のことが導き出される。
屈曲部５２を通って空隙４２に流入したジェル状消毒剤が容器に充填された状態で、グリップ２の突出部１１に向かってトリガーを引くと、移動圧力板が静圧板３４に対して容器を押しつぶして、ジェルが排出される。排出されたジェルは、空隙４２に流入して、ハンドルを手動で引くことによってバネに抗して押し動かされたボールの位置から流出する。この結果、ジェル状消毒剤が手の上に排出される。
【００３７】
トリガーと移動圧力板とのアセンブリ３６／８の下端部にタング５４を備え、タング５４が下部フランジ１８の上側に設けられた第２下部成形部５５に係合されると共に、成形部２０がフランジの下側を被覆する。これら２つの成形部は、ネジ５６によりフランジに固定される。成形部５５は凹部５７を備え、凹部５７にタングが係合することにより、アセンブリ３６／８が突出部１１との係合を外れて後方に自由に動かないように規制する。成形部５５は、屈曲部５２の下方に、排水管５８を備え、これにより、ジェルを捕集する皿状の底面成形部２０内に余分なジェルを排出させることができる。タンクの充填時に、定期的に、ネジ及び下部成形部を外して、捕集したジェルを洗い落とすようにしてもよい。
【００３８】
上部カバー成形部１９は、上部フランジ１７の下方に嵌合され、上記と同様に、凹部６０内へのタング５９の係合によりアセンブリ３６／８の上端部を規制する。装飾用ストリップ３２の上端部は、カバー成形部の下部リム６１に係合され、リムは、突出部１１を囲むように形成されてタングを収容する。成形部は、凹部５９の後方に２つのボス６２を備え、（図示しない）ネジが上部フランジ１７を貫通し、ボス６２内に挿入されて、成形部を固定する。さらに、成形部の２つの十字型スピゴット（栓）６３が、上部フランジに形成された孔６４に係合される。
【００３９】
突出部１１の上端部に、アダプター成形部６５が係合される。フランジ１７の下部に係合される縁部６６を介してアダプター成形部６５を貫通する上部ネジ２１により、アダプター成形部６５が固定される。アダプターは、その下部に中空ボス６７を備え、中宮ボス６７に弾性容器３５の上端部が嵌合される。アダプターは、その上部に、フランジ１７を貫通し、中央スピゴット（栓）６９を有する別の中空ボス６８を備える。
【００４０】
タンクは、小径の懸架型開放ボス７１と、フランジ１７を通って伸長する十字型スピゴット６３に係合する２つの閉ボス７２と、を備える。外側に曲がった縁部７５を有するインサート７４が開放ボスに締まり嵌めされ、収容される。これによって、Ｏリング７６が固定され、ボス６８内にボス７１が密閉される。インサートは、さらに、テーパ形弁座７８に逆止弁ボール７７を緩やかに固定する。タンクがハンドルに嵌合されていない場合には、ボールは弁座７８に係合し、ボス７１を閉じて、ジェルの流出を防ぐ。タンクが嵌合されると、スピゴット６９が弁座７８からボールを持ち上げる。ボス７１は、これに嵌合する弁座７９を対向する位置に有する。ハンドルを握って、突出部１１の方向にトリガーを動かすと、弁座７９からボールが持ち上がり、逆止弁のように作用して逆流を防ぐ。この結果、容器３５内のジェルはトリガーにより排出される。トリガーが放されると、容器は元の形状に戻る。バネの作用により、ボール４５がトリガーを密閉して、空気の流入を防ぎ、容器への詰め替えを行なうことができる。
【００４１】
ボールは、圧入された場合を除き、ジェルの流出を防ぐように、弁座に配置される。ボールと弁座とは、逆止弁５３に嵌合する逆止弁としては構成されておらず、ボールのいずれにも圧力を加えることなくトリガーが圧入された場合には、ジェルがすべてのボールの位置から流出する。
【００４２】
成形部１９及び２０がブラケット３及び４に見えるのと同様に、ブラケットに見える上端成形部８１は、使用位置でタンクを固定するように設けられる。上端成形部８１は、ロータリーラッチ８２を備える。ロータリーラッチ８２とドアプレートの上端部とは、上端成形部を適切な位置に固定するための嵌合構造８３及び８４を有する。上端成形部は、注入口８５及び栓８６を備え、これにより、ハンドルからタンクを取り外すことなく、タンクにジェルを補給することが可能になる。
【００４３】
さらに、タンクは後部リブ８７を備え、後部リブ８７は、ドアプレートのスロット８８に係合されて、タンクを横方向に位置決めする。
【００４４】
図１７に、本発明の第２の実施形態におけるドアハンドル１００を概略的に示す。特に明記しない限り、ドアハンドルの各部材は、熱可塑性物質（たとえば、ポリエチレン又はポリプロピレン）から形成される。
【００４５】
ドアハンドル１００はカバー１０２を備え、カバー１０２は、ドアハンドル１００の各部材を被覆する。カバーは、上部１０２ａと下部１０２ｂとからなる。上部１０２ａは、透明窓１１８を備え、これにより（図示しない）内部タンク内の液面を見ることが可能になる。上部１０２ａは、さらに別の透明窓１２０を備え、これにより（図示しない）リフィルボトル（補給瓶）内の液面を見ることが可能になる。上部１０２ａは、内部タンクとリフィルボトルとを被覆する。カバー１０２を透明の材料から形成するようにしてもよく、この場合には、個別の表示窓が不要になる。カバー１０２は、一般的には、ドアハンドル１００の正面と側面とを覆うような形状に成形される。ドアハンドル１００は、（図示しない）バックプレート（裏板）を備え、これによりドアにドアハンドルを取り付けることができる。カバー１０２は、バックプレートに着脱可能に取り付けられる。下部１０２ｂは、ユーザーの手がハンドル部分又は第１のグリップ１１２にアクセスできるような形状に成形される。
【００４６】
ドアハンドル１００は、カバー１０２上に取り付けられ、カバー１０２と同じ材料から形成される着脱可能な蓋部１０６を備える。蓋部１０６は、鍵が差し込まれるロック機構１０８を備える。適切な鍵をロック機構１０８に差し込んで回すと、蓋部１０６を取り外すことができる。ロック機構は、ペーパータオル・ディスペンサー（取り出し容器）等の衛生製品に通常用いられる種類のものである。
【００４７】
ドアハンドル１００は、着脱可能な底面カバー又は基部１１０を備える。基部１１０は、適当なロック機構又は適切な取り付け手段（たとえば、図示しないセルフタッピングねじ）を用いてドアハンドルに取り付けられる。基部１１０を簡単に取り外すことができるようなロック機構を用いて基部１１０を固定するようにしてもよい。この場合に、蓋部１０６に用いたものと同じ鍵を用いてロック機構を操作するようにしてもよい。基部１１０は、（図示しない）バックプレートの一部に取り付けされる。基部１１０は着脱可能であり、これにより、ドアハンドルの組み立てが可能になり、また、ドアハンドルにグリップを追加することも可能になる。さらに、余分の液体は、第１のグリップ１１２から基部１１０に捕集される。基部１１０は着脱可能であるため、余分の液体を捨てることができる。皿状の下部部材１１６は、第１のグリップ１１２の下に取り付けられ、第１のグリップ１１２から余分の液体を捕集可能な形状に成形されている。捕集された液体は、基部１１０に排出される。
【００４８】
第１のグリップ１１２は、下部部材１１６及び上部支持部材１１４において、（図示しない）バックプレートの一部によりドアハンドル１００に固定される。下部部材１１６は、（図示しない）突出部を有し、第１のグリップ１１２の近位端部を位置決めする。第１のグリップ１１２は、通常、セルフタッピングねじ等を用いて、バックプレートに固定される。第１のグリップ１１２の遠位端部は、第１のグリップ１１２の遠位端部を収容可能な形状に成形される上部支持部材１１４の凹部内に伸長する。
【００４９】
ドアハンドル１００は、ガード又はバンパー１０４を備える。この例では、ガード部材１０４は、（図示しない）バックプレートと一体に、かつ、カバー１０２の上部１０２ａの一部を囲むように形成される。ガード部材は、たとえば、ハンドルを取り付けたドアが開けられて隣接する壁に接触した場合に、ドアハンドルを衝撃から守るように構成される。ガード１０４は、アルミニウムから形成されるが、引張強度の高いプラスチック（たとえば、ナイロンやポリオキシメチレン）から形成するようにしてもよい。また、ガード１０４を、ドアハンドルの他の部材と同じ材料から形成するようにしてもよいし、スチール等の別の金属又は合金から形成するようにしてもよい。ガード１０４を、ゴム又は着色プラスチックでコーティングするようにしてもよい。ガード１０４は、通常、ドアハンドル１００をドアに取り付けた場合に、ドアハンドル１００の他の部材よりもドアからより突出して伸長するように、構成される。したがって、ドアが開けられて隣接する壁と接触しても、ガード１０４がドアハンドル１００の損傷を防ぐことができる。
【００５０】
図１８に、図１７に示すドアハンドル１００の中心を通る断面を概略的に示す。図１７と同様の参照番号を用いる。
【００５１】
ドアハンドル１００の内側に、リフィルボトル又は上部タンク１２２が設置される。リフィルボトル１２２は、ドアハンドル１００の上部に設置され、また、リフィルボトル１２２の開口部１２６がリフィルボトルの底面又は下部に配置されるように、リフィルボトル１２２は逆さまに取り付けられる。リフィルボトル１２２は、表示窓１２０を通してリフィルボトル１２２の中身を見ることができるように、ドアハンドル１００内に設置される。リフィルボトル１２２は、リフィルボトル１２２への補給が可能なように、開口部１２６とは反対側の端部にも開口部を備えるものでもよい。リフィルボトル１２２の開口部１２６は、ドアハンドル１００内にリフィルボトル１２２を設置する際に破断されるシール１２７を備える。開口部１２６の頸部に、ドアハンドル１００内にリフィルボトルが設置されていない状態で着脱可能なキャップを嵌め込むことができるようなネジ山が形成されている。この例では、孔又は流出口２０１を有するエンドキャップ又は蓋部２００がリフィルボトル１２２に取り付けられ、蓋部２００が適当な位置にくるようにリフィルボトルがドアハンドル内に設置される。ただし、ドアハンドル１００内への設置前に、流出口を有する蓋部２００をリフィルボトル１２２に嵌め込むようにしてもよい。リフィルボトル１２２がドアハンドル１００内に設置されていない場合に、液体流出口がない蓋部をリフィルボトル１２２に取り付けるようにしてもよい。
【００５２】
ドアハンドル１００の内側において、液体タンク又は下部タンク１２４が、リフィルボトル１２２の下に配置される。液体タンク１２４は、表示窓１１８を通してタンク１２４の中身（たとえば、液状又はジェル状抗菌剤や消毒剤）を見ることができるように、ドアハンドル１００内に設置される。液体タンク１２４の上部に、リフィルボトル１２２の蓋部２００の開口部２０１を収容するカラー１２８が設けられる。カラー１２８は直立穿孔部１３０を備え、リフィルボトル１２２の蓋部２００がカラー１２８に取り付けられると、穿孔部１３０がリフィルボトル１２２のシール１２７に孔を開ける。穿孔部１３０は、蓋部２００の開口部１３１を貫通する。カラー１２８は、さらに、開口部１３２を備え、これにより、重力の作用で、リフィルボトル１２２の液体をリフィルボトル１２２の開口部１２６からタンク１２４に流入させることができる。
【００５３】
この例の以上及び以下の記載は、ドアハンドルがドアに取り付けられた場合のドアハンドルの正常な取り付け方向に基づくものである。ドアハンドルの正常な取り付け方向において、グリップは、ドアハンドルの最下部に配置される。リフィルボトルを下部タンクの上方に取り付ける代わりに、下部タンクの横に、又は下部タンクの下方に取り付けるようにしてもよい。リフィルボトルを下部タンクの上方以外に取り付ける場合には、加圧により液体をリフィルボトルから下部タンクに移動させることができる。たとえば、圧縮ガス源を用いることができる。
【００５４】
タンク１２４の下部に、開口部又は孔１３４が形成され、これにより、タンク１２４から第１のグリップ１１２に液体を流入させることができる。タンク１２４の開口部１３４は、第１のグリップ１１２のエンドキャップ１３６と流体連結される。
【００５５】
開口部１３４は一方向弁又は逆止弁１３５を備え、これにより、タンク１２４から第１のグリップ１１２への液体の流入を可能にする一方で、第１のグリップ１１２からタンク１２４向かう液体の流れを阻む。ただし、ドアハンドルの操作に、一方向弁は必ずしも必要ではない。たとえば、加圧ガス源を用いて、下部タンク１２４及び／又は上部タンク１２２を加圧するようにしてもよい。あるいは、下部タンク１２４及び／又は上部タンク１２２がバネ式ピストンを備えるようにしてもよい。あるいは、第１のグリップ１１２からタンク１２４への液体の流れを阻むのに十分な重量の液体を下部タンク１２４に入れるようにしてもよい。
【００５６】
液体タンク１２４のカラー１２８に隣接して、マイクロスイッチ等の電気スイッチ１４０が設置される。スイッチ１４０は、ボタン電池等の（図示しない）電源に接続される。スイッチ１４０及び電池は発光ダイオード（ＬＥＤ）１４６に電気的に接続され、スイッチ１４０をオンにすると、ＬＥＤにより下部タンク１２４が照らされる。他の光源を用いるようにしてもよいし、異なる位置に光源を設置して、下部タンク及び／又は上部タンクの一部又は全部を照明するようにしてもよい。ドアハンドル１００にリフィルボトル１２２を設置すると、リフィルボトル１２２がスイッチ１４０に圧力を加えて、スイッチがオンになるように、スイッチ１４０が構成される。リフィルボトル１２２が取り外されると、スイッチがオフになる。
【００５７】
タンク１２４の内側に液面表示ボール１４８が備えられる。ボール１４８は、タンク１２４内に収容される液体に浮くように設計され、タンク１２４内で液面が上昇したり下降したりすると、通常、液面と共にボール１４８も上昇又は下降する。タンク１２４の内側に、さらに、表示窓１１８からボール１４８が離れないようにするガイド１４６が設置される。液面表示ボール１４８を用いることにより、ユーザーはタンク内の液面を効率よく確認することができる。液面を直接見て確認するようにしてもよい。下部タンク１２４は、さらに、予備タンクとしての役割も果たし、リフィルボトル１２２が空になった場合でも、リフィルボトルを取り換える又は詰め替えるまで、下部タンク１２４から液体を供給することができる。
【００５８】
図１８に示す断面に、基部１１０の取り付け手段１３８を図示する。取り付け手段１３８は、バックプレート２０２に形成された穴に挿入されて、ドアハンドル１００の下部部材１１６と確実に係合する取り付け具として形成される。下部部材１１６には開口部１３９が形成され、第１のグリップ１１２の液体を下部部材１１６から基部１１０内へと排出させることが可能になる。
【００５９】
図１８に示す断面に図示される開口部１４２により、ユーザーはドアの第１のグリップ１１２を握って圧力を加えることができる。
【００６０】
ドアハンドル１００のバックプレートも図１８に図示されている。バックプレートは、２つの分離可能な部分、すなわち、上部バックプレート２０３と下部バックプレート２０２を備える。これらのバックプレート２０３及び２０２を１枚の材料シートから形成するようにしてもよい。バックプレートは、アルミニウムやスチール等の合金又は金属から形成されるが、引張強度の高いプラスチックから形成するようにしてもよい。
【００６１】
上部バックプレート２０３はＬ字型であって、このうち垂直部分２０３ａはドアに取り付け可能であり、水平部分２０３ｂはリフィルボトル１２４と上部支持部材１１４と第１のグリップ１１２用の支持及び取り付け手段として機能する。ガード１０４が、さらに垂直部分２０３ａに取り付けられる、または、垂直部分２０３ａと一体に形成されるものでもよい。下部バックプレート２０２はＬ字型であって、このうち垂直部分２０２ａはドア及び上部バックプレート２０３に取り付け可能である。水平部分２０２ｂは、第１のグリップ１１２と皿状下部部材１１６と基部１１０用の支持及び取り付け手段として機能する。ここで、水平方向及び垂直方向は、ハンドルを取り付けたドアに関して言及した方向である。
【００６２】
図１９に、第１のグリップ１１２の正面斜視図（左）と正面図（右）を概略的に示す。第１のグリップ１１２は、固定部分１６２と可動部分１６６とを備える。固定部分１６２は、ドアハンドル１００に対して固定され、通常ユーザーの方を向いている。図示するように、固定部分１６２にグラフィックを含むものでもよい。グラフィックは、ハンドルを握るとジェル状又は液状消毒剤が供給されることをユーザーに注意を促す警告メッセージを含むものでもよい。可動部分１６６は、ドアハンドル１００に対して移動可能であり、通常、ユーザーと別の方を向いている。固定部分１６２は、エンドキャップ１３６に固定される。固定部分１６２は、スチールやアルミニウム等の金属や合金から形成される。可動部分１６６は、引張強度の高い熱可塑性物質（たとえば、ナイロンやポリオキシメチレン）から形成される。ただし、可動部分１６６を、ドアハンドルの他の部材と同様の材料から形成するようにしてもよいし、金属や合金から形成するようにしてもよい。第１のグリップ１１２はグラブねじ１８８を備える。
【００６３】
図２０に、第１のグリップ１１２の背面斜視図を概略的に示す。図１９で用いたものと同様の参照番号を図２０で用いる。
【００６４】
背面可動部分１６６は、規則的なパターンで配列される多数の分配部１７８を備える。穴の配列を他のパターンとしてもよい。スチールボール又は球１８０を閉位置に動かすことで、分配部１７８が閉じる。プラスチックや他の金属等、他の材料から形成されるボールを用いるようにしてもよい。球１８０の直径は、分配部１７８の開口部の直径よりも大きいため、球１８０が分配部１７８の外に押し出されることはない。固定部分１６２は細長い突出部１９６を備え、この細長い突出部１９６を可動部分１６６に形成された細長い溝１９８に係合させることによって、固定部分１６２に対して矢印１９９の方向に可動部分１６６を動かすことができる。可動部分１６６は、液体を供給するトリガーを形成するように構成される。
【００６５】
図２１に、図１９及び図２０に示す第１のグリップ１１２の断面を概略的に示す。図１９及び図２０で用いたものと同様の参照番号を図２１で用いる。
【００６６】
図２１において、エンドキャップ１３６は孔１５０を備え、これによりカラー１５２に液体を流入させることができる。孔１５０は、逆止弁１３５により閉鎖可能である。細長い可撓性チューブ又は管状弾性容器１５４が、カラー１５２に取り付けられる。管状弾性容器１５４は排水装置を形成する。細長いチューブ１５４は、カラー１５２の外周面に形成される縁部を介した締まり嵌めによりカラー１５２に連結される液体注入口１５８と、中央領域１５６と、流入口１６０と、を備える。流出口１６０は、カラー流出口１７６の外周面に形成される縁部を介した締まり嵌めにより継手１７４に連結される。細長いチューブ１５６はエラストマー（たとえば、シリコーン）から形成される。
【００６７】
継手１７４は、流体注入口１７２を介して可動部分１６６に連結される。可動部分１６６は、２つの部材１６８及び１７０を有する。第１の部材１６８は、第１の部材１６８の外表面から対向面に向かって配列される複数の分配穴又は液体流出口１８４ａを備える。液体流出口１８４ａの直径は５ｍｍであるが、これに限られず、液体流出口１８４ａが、１ｍｍ、２ｍｍ、３ｍｍ、４ｍｍ、５ｍｍ、６ｍｍ、７ｍｍ、８ｍｍ、９ｍｍ又は１０ｍｍ等、１ｍｍから１０ｍｍの範囲の任意の直径を持つものでもよい。液体流出口１８４ａは、ボール１８０を収容するような大きさに形成される。第１の部材１６８の外表面は、第１のグリップ１１２のトリガー面を形成する。第１の部材１６８の外表面において、各液体流出口１８４ａは弁座１８６を備える。液体流出口１８４ａの直径が５ｍｍであるのに対して、弁座１８６は、４．５ｍｍの直径を有する縁部として形成される。ボールを動かすことができるように、液体流出口１８４ａの直径をボール１８０の直径よりも大きくする一方で、弁座１８６の内径をボール１８０の直径よりも小さくして、ボール１８０がトリガー１６６から押し出されないようにする。第１の部材１６８は、外表面に対向する面に、液体流路１７６を形成し、第２の部材１７０を収容する凹部を備える。第２の部材１７０は、可動部分１６６を組み立てる際に第１の部材１６８の液体流出口１８４ａと一直線上に並ぶ複数の止まり穴１８４ｂを備える。可動部分１６６を組み立てる場合には、各止まり穴１８４ｂにバネ１８２を配置すると共に、各液体流出口１８４ａにボール１８０を配置する。この結果、可動部分１６６を組み立てると、バネ１８２が弁座１８６に対してボール１８０を押しつけ、分配部又はバルブ機構１７８を形成する。可動部分１６６の第１の部材１６８と第２の部材１７０との間に流路１７６を形成するために、第２の部材１７０は、第１の部材１６８に接する周辺端部の周りに縁部を備える。液体は、第２の部材１７０に配置される液体流入口１７２から流路１７６に入る。液体流入口１７２は、液体継手１７４に連結される。１つ又は複数のボール１８０に圧力が加えられると、液体が１つ又は複数の分配部１７８から流れる。ただし、ボール１８０が弁座１８６に対して押しつけられている間は、流出口１８４ａから液体は流出しない。
【００６８】
第１の部材１６８又は第２の部材１７０のいずれかに備えられるボルトと協働するネジ山とを用いて、第１の部材１６８と第２の部材１７０とを結合する。
【００６９】
この例では、バネ１８２はらせんバネであるが、他の種類のバネ又は弾性部材を用いて、ボールを押し込んで分配部１７８を閉じるようにしてもよい。
【００７０】
可動部分は、可動部分の両側端部に配置されるタング１９４及び１９５を用いて、静止位置に保持される。タング１９４は、キャップ１３６に形成される凹部に収容される。一方、タング１９６は、タング１９４とは反対側の可動部分の端部に位置し、下部部材１１６のガイドにより収容される。タング１９４及び１９６は、可動部分１６６を固定部分１６２に向かう方向に動かすことを可能にすると共に、可動部分１６６が固定部分１６２から完全に切り離されることがないように構成される。
【００７１】
図２１において、細長いチューブ１５４と固定部分１６２との間に一定圧力板１６４が配置される。細長いチューブ１５４は、一定圧力板１６４と可動部分１６６との間に配置される。一定圧力板１６４は、グラブねじ１８８の回転により動かすことができる。グラブねじ１８８は、固定部分１６２に形成された穴１９０に接する縁部を備える。一定圧力板１６４は、協働ネジ山１９２を備える。グラブねじを（たとえば、時計回りの方向に）回転させても、グラブねじを固定部分１６２に対して軸方向に動かすことはできない。したがって、一定圧力板１６４は固定部分１６２から離れる方向に動いて、細長いチューブ１５４、特に中央領域１５６を圧縮する。グラブねじを反時計回りの方向に回転させると、一定圧力板１６４は固定部分１６２の方向に移動する。一定圧力板１６４を固定部分１６２に対して移動可能とせずに、固定部分１６２と一体に形成するようにしてもよい。
【００７２】
使用時には、リフィルボトル１２２をドアハンドル１００内に取り付けて、下部タンク１２４に液体を充填する。液体は、液体タンク１２４からエンドキャップ１３６に入り、細長い部材１５４を通って、可動部分又はトリガー１６６に流入する。エンドキャップ１３６はタング１９４とほぼ同じ高さ（一番上の分配部１７８と同じ高さ）であるため、液体は凹部又は流路１７６に流入し続けて、凹部を一杯に満たす。流路１７６を満たした液体は、さらに、分配部１７８に流れる。したがって、第１のグリップに、液体が入る。可動部分１６６を固定部分１６２に向かって動かすと、細長い部材１５４の中央領域１５６が固定部分１６２（及び圧力板１６４）に対して圧縮される。この結果、細長い部材１５４内の液体が流入口１５８及び流出口１６０に向かって流れる。流出口１６０に向かって流れる液体は、可動部分１６６の流路１７０に流れ込む。流入口１５８に向かって（補給タンク１２４に向かって）流れる液体は、逆止弁１３５の働きにより、タンク１２４に流入しない。可動部分１６６は、通常、１つ又は複数のボールに指が接触するように、手で動かされる。接触したボール１８０は、各々の弁座１８６から離れて（図示する方向に）、液体流出口１８４ａに向かって動き、トリガー１６８をグリップ１１２の固定部分に向かって動かすことにより液体を流出口１８４ａから流出させる。第１のグリップを放すと、細長い部材１５４は元の形状（圧縮されていない形状）に戻り、下部タンク１２４から補給を受ける。
【００７３】
図２２に、図２１に示す第１のグリップ１１２の各部材の分解図を概略的に示す。図２１で用いたものと同様の参照番号を図２２で用いる。
【００７４】
図２２において、固定部分１６２の断面は、略Ｕ字型である。略Ｕ字型断面を利用して、第１のグリップ１１２の他の部材を収容する。図２２に示すように、第２の部材１７０の周辺端部１７１は、第１の部材１６８の面１６９に接する。また、図２２に示すように、第１の部材１６８に形成される凹部１７６ａが、トリガー１６６内の凹部又は流路１７６を形成する。
【００７５】
図２３に、蓋部１０６を取り外した状態のドアハンドル１００を示す。図１７及び図１８で用いたものと同様の参照番号を図２３で用いる。
【００７６】
図２３に示すように、蓋部１０６を取り外すことにより、リフィルボトル１２２の上端部があらわれる。図示するように、蓋部は、カバー１０２に形成された凹部１１１に係合する可動タング１０９を備える。蓋部１０６は、カバー１０２に対向する側にタング１０９を備え、一方、カバー１０２は、蓋部１０６に対向する側に凹部を備える。タング１０９を動かすことにより、蓋部１０２を取り外す、及び／又は、適切な位置に固定することが可能になる。たとえば、適切な鍵を用いて、ロック機構１０８を回すことにより、タング１０９を操作する。可動タング１０９は、鍵を用いることなく適切な位置に蓋部１０６を押し込むことができるように装着されたバネでもよい。
【００７７】
図２４に、蓋部１０６を取り外し、さらに、リフィルボトル１２２を取り外した状態のドアハンドルを概略的に示す。図１７及び図１８で用いたものと同様の参照番号を図２４で用いる。図２４に示すように、流出口１２６に蓋部２００を取り付けた状態で、着脱可能なボトル１２２をドアハンドル１００から取り外す。
【００７８】
図２５に、（基部１１０を除いた）ドアハンドル１００の分解図を概略的に示す。図１７〜図２４で用いたものと同様の参照番号を図２５で用いる。
【００７９】
ドアハンドル１００のカバー１０２を図示する。図示するように、カバー１０２は、ドアハンドル１００の部材を収容する略Ｕ字型の上部１０２ａを備える。カバーの下部１０２ｂは、ユーザーがグリップ１１２を握ることができるように切り取った領域又は凹部領域２０７を有する。カバーの下部１０２ｂは、下部部材１１６用の開口部２０６を有する。カバーの下部１０２ａは、さらに、上部支持部材１１４を収容する開口部２０８を有する。カバーの上部１０２ａは、ガード１０４内に配置される領域１０５を備える。この例では、領域１０５は、ガード１０４がカバー１０２の表面と同一平面を形成するように構成される凹部領域を備える。ただし、この構成は、見た目をよくするという理由によるものである。
【００８０】
バックプレート２０２及び２０３は、ドアハンドルをドアの表面に取り付けるための取り付け穴２１０を備える。
【００８１】
図示するように、下部部材１１６は突出部２０４を備える。第１のグリップ１１２の（図２１に示す）タング１９６を突出部２０４に係合させることにより、（図２１に示す）可動部分又はトリガー１６６を（図２１に示す）固定部分１６８に向かう方向に動かすことを可能にすると共に、可動部分１６６が第１のグリップ１１２の固定部分１６８から完全に切り離されることがないようにする。
【００８２】
図２６に、本発明の第２の実施形態におけるドアハンドル１００をドア２１２に取り付けた状態を示す。
【００８３】
図２７に、本発明の第２の実施形態におけるドアハンドル１００を２つ、両開きドア２１４の各可動部に取り付けた状態を示す。
【００８４】
図２８に、本発明の第３の実施形態におけるドアハンドル２５０を概略的に示す。
【００８５】
ドアハンドル１００と共通のドアハンドル２５０の部材は、同じ参照番号で示す。特に明記しない限り、ドアハンドル２５０の各部材は、ドアハンドル１００の対応する部材と同一である。
【００８６】
ドアハンドル２５０は、ハンドル部分又は第２のグリップ２５２を備える。第２のグリップ２５０は、上部支持部材２５６と下部部材２５８とを備え、第１のグリップ１１２と同様に構成される。上部支持部材２５６は、第２のグリップ２５２の近位端部を収容する孔を備える。第２のグリップ２５２の遠位端部は下部部材２５８に位置する。第２のグリップの一般的な形状は、第１のグリップ１１２と同様であり、上部支持部材１１４と上部支持部材２５６とが同様の設計であると共に、下部部材１１６と下部部材２５８とも同様の設計である。
【００８７】
ドアハンドル２００は、カバーの下部１０２ｂとほぼ同様な形状のカバー２５４を備える。図示するように、第２のグリップ２５２、すなわち、下部部材２５６及び上部部材２５８とカバー２５４とが、下部部材１１６と基部１１０との間に配置され、第２のグリップ２５２の（図示しない）バックプレートに基部１１０が取り付けられる。
【００８８】
図２９に、ドアハンドル２５０の断面を概略的に示す。
【００８９】
図２９に示すように、ｃ字型のバックプレート２６６が備えられる。このバックプレートは、バックプレート２０２及び２０３と同様の材料から形成される。下部部材２５８は、バックプレートの下側水平部分２６６ｃに取り付けられる。上部支持部材２５６は、バックプレートの上側水平部分２６６ａに取り付けられる。カバー２５４は、バックプレートの垂直部分２６６ｂに取り付けられる。カバー２５４は、ユーザーが第２のグリップ２５２にアクセスできるように切り取った領域２６０を備える。
【００９０】
カバー２５４とバックプレート２６６とは、カバー２５４及びバックプレート２６６に形成された穴にネジ山をつけた固定手段（たとえば、ネジ）を用いて、ドアの表面に取り付け可能である。バックプレート２０２、２０３及び２６６を１枚の材料から形成するようにしてもよい。
【００９１】
基部１１０は、取り付け手段１３８を用いて、バックプレートの下側水平部分２６６ｃに取り付けられる。下部支持部材２５８は、第２のグリップ２５２に形成された孔に収容される（突出部２０４と同様の）突出部２４６を備える。第２のグリップ２５２は、セルフタッピングねじ等の固定手段を用いて、下側水平部分２６６ｂ及び上側水平部分２６６ａの位置で、バックプレート２６６に固定される。
【００９２】
第２のグリップ２５２は、開放端部を有する略円筒形状である。下部部材１１６に捕集される余分の液体は、開口部１３９に流れ込んで、第２のグリップ２５２を流れ続け、下部部材２５８に形成された開口部２６２を通って基部１１０に流入する。したがって、図１７に示す実施形態と同様に、基部１１０を取り外して、余分の液体を捨てることができる。
【００９３】
第２のグリップ２５２は、アルミニウムから形成され、抗菌被膜でコーティングされている。抗菌被膜は、バクテリア、胞子、ウィルス、カビ、臭気及び汚染物質を壊す二酸化チタン系のナノテクノロジー光触媒でもよい。たとえば、Toachclean（商標）やBioclock（商標）を被膜としてもよい。この第２のグリップは、グリップ表面上の有機化合物を最小限に抑えるような物理的な抗菌作用をもたらすものである。これに対して、第１のグリップは、液体又はジェルの供給による化学的な抗菌作用をもたらすものである。
【００９４】
あるいは、第２のグリップ２５２は、引張強度の高いプラスチック及びバクテリア及びカビの成長を阻害する抗菌材料（たとえば、microban（商標））を含む複合材料から形成されるものでもよい。またあるいは、第２のグリップ２５２を銅から形成するようにしてもよい。
【００９５】
ドアハンドルに、第２のグリップ２５２の表面に照射されて第２のグリップ２５２の表面を殺菌する紫外線（ＵＶ）光源を備えるようにしてもよい。たとえば、２５４ｎｍの波長の光を出射する市販の低圧水銀灯を用いてもよい。この場合には、第２のグリップに抗菌被膜が必要ではなく、たとえば、アルミニウムから形成可能である。
【００９６】
図示した例では、第２のグリップは、第１のグリップの下に配置される。ただし、横に並べる配置や第１のグリップを第２のグリップの下にする配置等、他の構成も可能である。図示した例では、第１のグリップと第２のグリップは鉛直方向に配置されているが、ドアに対して水平方向に配置するようにしてもよい。
【００９７】
図３０に、本発明の第３の実施形態におけるドアハンドル２５０をドア２１２に取り付けた状態を示す。
【００９８】
図３１に、本発明の第３の実施形態におけるドアハンドル２５０を２つ、両開きドア２１４の各可動部に取り付けた状態を示す。
【００９９】
図３２に、第４の実施形態におけるドアハンドル１００の断面を概略的に示す。ドアハンドルは、以下の相違を除いて、第２の実施形態のドアハンドルと同様のものである。図３２において、開口部１３２は、カラー１２８上で開口部１３２に隣接して回動可能に取り付けられるフラップ２６６を備える。フラップ２６６は、コイルばね又はらせんバネ２６８を備え、これに抗して作用するものがなければ、フラップ２６６を押し閉じる。フラップ２６６は、閉位置にある場合に、開口部１３２を閉じて、汚染物質やゴミがタンク１２４に入るのを防ぐ。タンク１２４の上部には（図示しない）排出口が設けられ、液体が開口部１２６を介して流入するのに伴い、タンク１２４から空気を排出させる。フラップ２６６は、閉位置にある場合に、さらに、排出口も閉じる。
【０１００】
フラップ２６６は、上部タンク又はリフィルボトル１２２の開口部１２６に嵌合するエンドキャップ２７０から伸長するフィラメント２６４によって、閉位置から開位置に動かされる。エンドキャップ２７０は開口部２６２を備え、この開口部２６２により、液体が流出可能になると共に、穿孔部１３０のシール１２７への穿孔が可能になる。リフィルボトル１２２をドアハンドル１００に取り付けると、フィラメント２６４がフラップ２６６に抗して作用し、フラップ２６６を開位置に動かす。リフィルボトル１２２を外すと、フラップ２６６は、バネ２６８の作用により閉位置に動く。
【０１０１】
図３３に、本発明の第４の実施形態におけるリフィルボトル又は上部タンク１２２を示す。図示するように、リフィルボトル１２２はエンドキャップ２７０を備え、エンドキャップ２７０は、フィラメント２６４と、（図示しない）シールを露出させる開口部２６２と、を備える。標準的なエンドキャップ（たとえば、開口部やフィラメントを備えないエンドキャップ）を取り付けた形態でタンクを提供し、ハンドルへの設置前に図示するような形態のエンドキャップに取り換えるようにしてもよい。
【０１０２】
図２８に示す第３の実施形態のツイングリップ型のドアハンドルに、図３２に示すフラップ構造を適用することも可能である。
【０１０３】
上述した実施形態のいずれかに適した変形例をいくつか説明する。
【０１０４】
上部タンク及び下部タンクの抗菌剤又は消毒剤を、液状又はジェル状で第１のグリップから供給するようにしてもよい。
【０１０５】
一枚のストリップを曲げてタブの形に形成したリーフ・スプリングによって、トリガーの液体排出口を閉じるようにしてもよい。この場合には、リーフ・スプリングが、球状又はその他の相補的な形状のデバイスを排出口に押し入れる。たとえば、半球状の立体を液体排出口に押し入れて、閉じるようにしてもよい。あるいは、一体成形された弾性指部を備える各閉鎖部材によって、トリガーの液体排出口を閉じるようにしてもよい。この場合には、弾性指部が閉鎖部材を液体排出口に押し入れる。グリップが閉鎖部材を備えない構成でもよい。
【０１０６】
細長い可撓性チューブを、各々がタンクと流体連結される複数のポンプに置き換えるようにしてもよい。ポンプは、第１のグリップの固定部分と可動（トリガー）部分との間に配置される圧縮可能な容器でもよい。各ポンプが、グリップの排出口に連結される液体排出口を備えるものでもよい。ハンドルが握られると、可動部分が固定部分に対して各ポンプを圧縮し、ポンプの各排出口からグリップの表面に液体が供給される。
【０１０７】
第１のグリップに備えられるピストン−シリンダー装置を用いて、第１のグリップから液体を供給するようにしてもよい。あるいは、第１のグリップ内に取り付けられるダイヤフラム−チャンバ装置をもしいて、第１のグリップから液体を供給するようにしてもよい。第１のグリップに伸縮ばねを備え、握ったトリガーを放すと元に戻るようにしてもよい。
【図１】
2013527890.tif 000003
【図２】
2013527890.tif 000004
【図３】
2013527890.tif 000005
【図４】
2013527890.tif 000006
【図５】
2013527890.tif 000007
【図６】
2013527890.tif 000008
【図７】
2013527890.tif 000009
【図８】
2013527890.tif 000010
【図９】
2013527890.tif 000011
【図１０】
2013527890.tif 000012
【図１１】
2013527890.tif 000013
【図１２】
2013527890.tif 000014
【図１３】
2013527890.tif 000015
【図１４】
2013527890.tif 000016
【図１５】
2013527890.tif 000017
【図１６】
2013527890.tif 000018
【図１７】
2013527890.tif 000019
【図１８】
2013527890.tif 000020
【図１９】
2013527890.tif 000021
【図２０】
2013527890.tif 000022
【図２１】
2013527890.tif 000023
【図２２】
2013527890.tif 000024
【図２３】
2013527890.tif 000025
【図２４】
2013527890.tif 000026
【図２５】
2013527890.tif 000027
【図２６】
2013527890.tif 000028
【図２７】
2013527890.tif 000029
【図２８】
2013527890.tif 000030
【図２９】
2013527890.tif 000031
【図３０】
2013527890.tif 000032
【図３１】
2013527890.tif 000033
【図３２】
2013527890.tif 000034
【図３３】
2013527890.tif 000035
【国際調査報告】
2013527890.tif 000036
2013527890.tif 000037
2013527890.tif 000038
2013527890.tif 000039
2013527890.tif 000040